(57)【要約】      （修正有）【課題】返しつきのフックを外す際に極力魚体に触れることのない、フック取り外し装置を提供する。【解決手段】第１把持部２１と、前記第１把持部２１と一体の第１挟持部２２と、を具備する第１プライヤー部２０と、第２把持部３１と、前記第２把持部３１と一体の第２挟持部３２と、を具備する第２プライヤー部３０と、フックの刺さった部位の周囲を押圧するための除去部４０と、前記除去部４０を支持する支持部５０と、を有し、前記第１プライヤー部２０と、前記第２プライヤー部３０と、を互いに回動可能に連結し、前記第１把持部２１と、前記第２把持部３１とを把持したときに、前記第１挟持部２２と前記第２挟持部３２とにおいて前記フックを挟み込むとともに、前記除去部４０を、前記支持部５０を介して移動させることで、前記除去部４０は前記フックの刺さった部位の周囲を押圧して前記フックを取り外すフック取り外し装置である。【選択図】図１
2020130025.tif 000002
【特許請求の範囲】
【請求項１】
使用者が把持するための第１把持部と、前記第１把持部と一体の第１挟持部と、を具備する第１プライヤー部と、
使用者が把持するための第２把持部と、前記第２把持部と一体の第２挟持部と、を具備する第２プライヤー部と、
フックの刺さった部位の周囲を押圧するための除去部と、
前記第１挟持部と前記第２挟持部とに配置され、前記除去部を支持する支持部と、を有し、
前記第１プライヤー部と、前記第２プライヤー部と、を互いに回動可能に連結し、
前記第１把持部と、前記第２把持部とを把持したときに、前記第１挟持部と前記第２挟持部とにおいて前記フックを挟み込むとともに、
前記除去部を、前記支持部を介して移動させることで、前記除去部は前記フックの刺さった部位の周囲を押圧して前記フックを取り外すフック取り外し装置。
【請求項２】
前記支持部は、前記第１挟持部および第２挟持部にそれぞれ配置する第１支持体と、第２支持体と、
前記第１支持体と、前記第２支持体と、に対して揺動可能に支持された筒部と、を有し、
前記筒部に前記除去部を移動可能に配置する請求項１記載のフック取り外し装置。
【請求項３】
前記除去部は、フックの刺さった部位の周囲を押圧するために２個一対の除去体と、
前記２個一対の除去体を互いに連結する連結部と、
前記連結部と接続した軸部と、を有し
前記２個一対の除去体は先細の押圧部後端部と、を有し、
前記軸部を押圧すると、前記連結部が、前記フックに沿うように移動することで、前記先細の押圧部後端部が前記フックの刺さった周囲を押圧する請求項１または２記載のフック取り外し装置。
【請求項４】
前記除去体は、側面視、勾玉形状を呈する請求項３記載のフック取り外し装置。
【請求項５】
前記第１挟持部の先端部と、
前記第２挟持部の先端部と、は、ともに側面視下方に反るように構成された請求項１から４いずれか１項記載のフック取り外し装置。  
【発明の詳細な説明】
【技術分野】
【０００１】
本発明は、フック取り外し装置に関するものである。
【背景技術】
【０００２】
従来、釣り上げた魚から、釣り針であるフックを取り外す、フック取り外し装置として、釣り針を挟んで取り外すペンチ状のものが存在する。このようなものとして、特開２００４−３２９０４１号公報に、釣り針外し用ペンチが開示されている。
【０００３】
この釣り針外し用ペンチは、第一の部材と第二の部材とをそれぞれの任意の一点のまわりに回動自在に連結し、前記第一の部材及び前記第二の部材には、前記一点を中心として、一方の側に一対の取っ手部を形成し、他方の側に一対の挟持部を形成することにより、一対の前記取っ手部を閉じることで、前記挟持部の相対向する対向面同士が密着する第一の姿態と、一対の前記取っ手部を開くことで、前記対向面同士が密着しない第二の姿態と、をとることができるようにし、前記対向面の間に、釣り針を挟み込むことができるようにした釣り針外し用ペンチであって、一対の前記対向面のうち少なくとも何れか一方には、その先端部側に前記対向面の他方に密着する密着面と、前記密着面と前記一点との間に前記他方に密着しない切り欠き面と、を形成することにより、前記第一の姿態にある場合に、前記他方と前記切り欠き面との間に釣り糸を通すことができる間隙を設けたことを特徴とするというものである。
【０００４】
しかしながら、上述の釣り針外し用ペンチは、プライヤーとも呼ばれ、部材をつかんで固定するためのもので、機械工作等に用いられるものを、釣り針外し用に転用したものに過ぎない。また、釣り針が魚の口の外から見えない場合でも、釣り糸に沿って釣り針外し用ペンチを釣り針が引っかかっている位置に到達させることができるようになるとしても、この釣り針外し用ペンチを使用するためには、釣り上げた魚を掴んで固定する動作の後に上述の釣り針外し用ペンチでフックを挟んで取り外すという動作を行うことでそのフックを魚から取り外すということは変わらない。
【０００５】
従って、魚がかかった場合に、その魚を掴みあげ、糸を手繰り寄せるとともにそのフックのちもと部分を上述の釣り針外し用ペンチで挟みつつ、その魚から針を外すというものである。よって、魚を掴むという動作を排除することができない。
【０００６】
一方で、近年魚族保護が叫ばれるとともに、いわゆるスポーツフィッシングという流行もあり、キャッチアンドリリースを行うことが推奨されている。キャッチアンドリリースとは、釣り上げた魚を魚族保護のため再放流することをいう。
【０００７】
この場合、釣り上げた魚を単に再放流することではなく、極力魚に接触しないように再放流することが求められている。この理由として、魚体の表面に直接手で触れることで、その魚の再放流後の生存率が低下するということがいわれている。この場合はバーブレスフックを使用することが推奨されているものの、釣り上げた魚を、取り逃がしてしまう可能性が高まるため、バーブレスフックの使用を躊躇する場合がある。
【先行技術文献】
【特許文献】
【０００８】
【特許文献１】特開２００４−３２９０４１号公報
【発明の開示】
【発明が解決しようとする課題】
【０００９】
本発明は前記の点に着目してなされたもので、その課題は、返しつきのフックを外す際に極力魚体に触れることのない、フック取り外し装置を提供することである。
【課題を解決するための手段】
【００１０】
前記の課題を解決するために、第１観点のフック取り外し装置は、使用者が把持するための第１把持部と、第１把持部と一体の第１挟持部と、を具備する第１プライヤー部と、使用者が把持するための第２把持部と、第２把持部と一体の第２挟持部と、を具備する第２プライヤー部と、フックの刺さった部位の周囲を押圧するための除去部と、第１挟持部と第２挟持部とに配置され、除去部を支持する支持部と、を有し、第１プライヤー部と、第２プライヤー部と、を互いに回動可能に連結し、第１把持部と、第２把持部とを把持したときに、第１挟持部と第２挟持部とにおいてフックを挟み込むとともに、除去部を、支持部を介して移動させることで、除去部はフックの刺さった部位の周囲を押圧してフックを取り外すというものである。
【００１１】
また、第２観点のフック取り外し装置は、第１観点において、支持部は、第１挟持部および第２挟持部にそれぞれ配置する第１支持体と、第２支持体と、第１支持体と、第２支持体と、に対して揺動可能に支持された筒部と、を有し、筒部に前記除去部を移動可能に配置するというものである。
【００１２】
また、第３観点のフック取り外し装置は、第１観点または第２観点において、除去部は、フックの刺さった部位の周囲を押圧するために２個一対の除去体と、２個一対の除去体を互いに連結する連結部と、連結部と接続した軸部と、を有し、２個一対の除去体は先細の押圧部後端部と、を有し、軸部を押圧すると、連結部が、フックに沿うように移動することで、先細の押圧部後端部がフックの刺さった周囲を押圧するというものである。
【００１３】
また、第４観点のフック取り外し装置は、第１観点から第３観点において、除去体は、側面視、勾玉形状を呈するというものである。
【００１４】
また、第５観点のフック取り外し装置は、第１観点から第４観点において、第１挟持部の先端部と、第２挟持部の先端部と、は、ともに側面視下方に反るように構成されたというものである。
【発明の効果】
【００１５】
本発明は以上のように構成され、かつ、作用するものであるから、返しつきのフックを外す際に極力魚体に触れることのない、フック取り外し装置を提供することができる。
【図面の簡単な説明】
【００１６】
【図１】本実施例におけるフック取り外し装置の平面図である。
【図２】本実施例におけるフック取り外し装置の側面図である。
【図３】除去部の側面図である。
【図４】Ａは、フック取り外し装置の先端部分が開いた状態の拡大図である。Ｂは、Ａの正面図である。
【図５】Ａは、フック取り外し装置の先端部分が閉じた状態の拡大図である。Ｂは、Ａの正面図である。
【図６】第２挟持部の拡大図である。
【図７】Ａは、フックを挟んだ状態のフック取り外し装置の側面図である。Ｂは、Ａの拡大図である。
【図８】Ａは、フックを挟んだ状態において、除去部を押した状態のフック取り外し装置の側面図である。Ｂは、Ａの拡大図である。
【図９】Ａは、フックを挟んだ状態において、除去部をさらに押し出した状態のフック取り外し装置の側面図である。Ｂは、Ａの拡大図である。
【発明を実施するための最良の形態】
【００１７】
以下、図示の実施形態を参照して本実施例について説明する。本実施例のフック取り外し装置１０は、図示しない使用者が把持するための第１把持部２１と、前記第１把持部２１と一体の第１挟持部２２と、を具備する第１プライヤー部２０と、その使用者が把持するための第２把持部３１と、前記第２把持部と一体の第２挟持部３２と、を具備する第２プライヤー部３０と、を有する。これら第１プライヤー部２０と、第２プライヤー部３０と、の中間部２３、３３を、互いに回動可能に連結する。尚、この互いに回動可能に連結した第１プライヤー部２０と、第２プライヤー部３０は、従来公知のプライヤーあるいはペンチとして機能するものである。
【００１８】
ここで、中間部２３、３３の位置は、プライヤーあるいはペンチとして機能するように、互いに回動可能に連結することを意味し、その位置に限定はない。もっとも本実施例においては、第１把持部２１と第１挟持部２２との合計を１００とした場合において、第１把持部２１の長さの割合を６５とし、第１挟持部２２の長さの割合を３５とする場合が好ましい。第２把持部と第２挟持部３２についても同様である。
【００１９】
また、第１挟持部２２と第２挟持部３２とは、それぞれ、くの字状に折り曲げられている。すなわち、第１挟持部２２と第２挟持部３２とは側面視下方に反るように構成されている（図２参照）。なお、以下、前という場合は、第１挟持部２２の方向を意味し、後という場合は、第１把持部２１の方向を意味する。
【００２０】
また、本実施例のフック取り外し装置１０は、フックＨの刺さった部位の周囲ＳＡを押圧するための除去部４０と、その除去部４０を支持する支持部５０と、を有する。除去部４０は、先端に２個一対の押圧部材４１、４１と、その２個一対の押圧部材４１、４１を互いに連結する軸状を呈する連結部４２と、その連結部４２と接続された棒状を呈する軸部４３と、その軸部４３の後端部に接続する作動部４４とを有する。
【００２１】
２個一対の押圧部材４１、４１は、鏡面対称であるため、一方の押圧部材４１について説明する。押圧部材４１は、側面視勾玉形状を呈し、その先端に側面視ほぼ円弧状を呈する押圧部先端部４１ａと、三日月形状の先端部分に近似した形状であって、押圧部材４１の後端が先細の形状を呈する押圧部後端部４１ｂとを有する。
【００２２】
また連結部４２は、文字通り、２個一対の押圧部材４１、４１を連結するものであり、軸状のものである。また連結部４２は、２個一対の押圧部材４１、４１に対し、前方に押圧部先端部４１ａが位置し、後方に押圧部後端部４１ｂが位置するように固定されている。また、軸部４３は、連結部４２と接続され長手方向に長尺状であって棒状を呈するものである。また上記のとおり、その軸部４３の後端部に接続する平面視円形状を呈する作動部４４と、を有し、図示しない使用者が、その作動部４４を前方にスライドするように移動させたり、下方に押圧するものである。これについては、後述する。また、軸部４３の先端部４３ａは、曲線状であって、側面視円弧状を呈し、いわばオフセットされた状態であるために、後述するように刺さったフックＨの視認が容易で、そのフックＨを掴み易いというものである。
【００２３】
支持部５０は、上述の第１プライヤー部２０における第１挟持部２２に配置する第１支持体５１ａと、上述の第２プライヤー部３０における第２挟持部３２に配置する第２支持体５１ｂとを有する。第１支持体５１ａは、上部が角丸の側面視台形状を呈しその上部付近に孔である孔部５１１を配置している。また、第２支持体５１ｂは上部が角丸の側面視台形状を呈しその上部付近に孔である孔部５１２を配置している。
【００２４】
また、支持部５０は、中空筒状の筒部５３を有し、その内部に、上述の除去部４０における軸部４３が、前後方向に移動可能かつ、いわばシーソーのように揺動可能に配置されている。すなわち、筒部５３は、その中部５３ａの両側において、軸部材５３ｂ、５３ｂがそれぞれ接続され、それら軸部材５３ｂ、５３ｂを、それぞれ孔部５１１および孔部５１２に回転可能に配置している。このように、筒部５３は、第１支持体５１ａと、第２支持体５１ｂと、に対して揺動可能に支持されている。従って、この内部に配置された軸部４３も同様に回転するように揺動可能であり、また、前後方向に移動することも可能である。よって、後述するように支持部５０を介して除去部４０を移動させることができる。すなわち、上述のとおり、作動部４４を前方にスライドさせたり、下方に押圧することができる。
【００２５】
また、鍔状を呈する鍔部５５、５５が、その軸部材５３ｂ、５３ｂの先端に固定され、その軸部材５３ｂ、５３ｂが、その孔部５１１および孔部５１２から抜け出ることを防止している。また、軸部材５３ｂ、５３ｂの長さは、第１プライヤー部２０における第１挟持部２２と、第２プライヤー部３０における第２挟持部３２がフックＨを挟むことができる程度に開くように構成されている。また、上述の鍔状を呈する鍔部５５、５５は、第１挟持部２２と、第２挟持部３２と、を開くと、それぞれ第１支持体５１ａと、第２支持体５１ｂとに、接触して、その第１挟持部２２と、第２挟持部３２との開く角度を規制するというものである。
【００２６】
次に本実施例のフック取り外し装置１０の使用方法について説明する。魚ＳをフックＨに掛けた状態において、例えば魚Ｓの口腔内に飲み込まれているフックＨのちもとＨ１を、第１挟持部２２と第２挟持部３２とで挟み込む（図７参照）。このとき、第１挟持部２２と第２挟持部３２とは、それぞれくの字状に折り曲げられている。すなわち、第１挟持部２２と第２挟持部３２とは側面視下方に反るように構成されている（図２参照）ので、魚Ｓの口腔内であっても刺さったフックＨの視認がしやすいというものである。
【００２７】
フックＨの軸部分Ｈ２にそって、除去部４０を前方に押し出す。すなわち、除去部４０における連結部４２を、フックＨの軸部分Ｈ２に沿うように押し出す。このとき軸部４３は、支持部５０に対して揺動可能かつ移動可能に配置されているので、フックＨの曲線状を呈するフトコロＨ３に沿うようにその除去部４０が移動することができる（図８参照）。具体的には、支持部５０における中空筒状の筒部５３の内部に軸部４３が移動可能かつ揺動可能に配置されているので、その除去部４０における連結部４２を、フックＨの軸部分Ｈ２に沿うように押し出すと、２個一対の押圧部材４１、４１との間に配置した連結部４２がフックＨ２からフトコロＨ３に添うように移動する。このように除去部４０は、支持部５０を介して移動させることができる。
【００２８】
さらに、除去部４０を操作すると、２個一対の押圧部材４１、４１における側面視勾玉形状を呈し、後端が先細の形状を呈する押圧部後端部４１ｂが、フックＨのフックポイントＨ４の刺さった部位の周囲ＳＡを押しのけるように移動する。これにより、除去部４０はフックＨにおけるフックポイントＨ４の刺さった部位の周囲を押圧する。それにより、フックポイントＨ４を引き抜くように作用することで、魚Ｓの組織からフックＨが抜け出すことにより、そのフックＨを魚Ｓから、はずすことができる（図９参照）。
【００２９】
このように、魚Ｓに触れることを極力避けつつフックＨを取り外すことができる。また、その後において、図９に示すように、連結部４２がフックＨに、沿うように位置するとともに、そのフックＨのフックポイントＨ４を、２個一対の押圧部材４１、４１が、挟み込むように配置されているので、そのフックポイントＨ４をその２個一対の押圧部材４１、４１が覆うように位置することで、そのフックポイントＨ４が再び魚Ｓに刺さる可能性を極力排除することができる。
【００３０】
このように返しのないいわゆるバーブレスフックのみならず、返しつきのフックＨを外す際に極力魚体に触れることのない、フック取り外し装置１０を提供することができる。
【符号の説明】
【００３１】
１０  フック取り外し装置
２０  第１プライヤー部
２１  第１把持部
２２  第１挟持部
３０  第２プライヤー部
３１  第２把持部
３２  第２挟持部
４０  除去部
４１  押圧部材
４１ａ  押圧部先端部
４１ｂ  押圧部後端部
４２  連結部
４３  軸部
４４  作動部
５０  支持部
５１ａ  第１支持体
５１ｂ  第２支持体
５３  筒部
５３ａ  中部
５３ｂ  軸部材
５５  鍔部
Ｈ  フック
Ｈ１  ちもと
Ｈ２  軸部分
Ｈ３  フトコロ
Ｈ４  フックポイント
【図１】
2020130025.tif 000003
【図２】
2020130025.tif 000004
【図３】
2020130025.tif 000005
【図４】
2020130025.tif 000006
【図５】
2020130025.tif 000007
【図６】
2020130025.tif 000008
【図７】
2020130025.tif 000009
【図８】
2020130025.tif 000010
【図９】
2020130025.tif 000011